(57)【要約】【課題】スライドユニット等におけるケーブルの処理を容易にする。【解決手段】引き出し部及び収納部間に延設されたケーブルを支持するケーブル支持装置は、ケーブルを支持する二つのアームと、二つのアームを連結する弾性連結部材とを有する。【選択図】図１
2005354772.tif 000002
【特許請求の範囲】
【請求項１】
引き出し部とこの引き出し部を収納する収納部の間に配置され、前記引き出し部及び収納部間に延設されたケーブルを支持するためのケーブル支持装置であって、
前記ケーブルを支持する第一のアームと、
前記ケーブルを支持する第二のアームと、
前記第一及び第二のアームを連結する弾性連結部材とを有するケーブル支持装置。
【請求項２】
前記弾性連結部材は湾曲可能である、請求項１に記載のケーブル支持装置。
【請求項３】
前記弾性連結部材はコイルばねである、請求項２に記載のケーブル支持装置。
【請求項４】
前記コイルばねは、前記第一及び第二のアーム各々の第一の端部を連結し、前記第一及び第二のアームのうち少なくとも一方のアームの前記第一の端部は、前記コイルばねのピッチと実質的に一致するピッチの雄ねじ部を有する、請求項３に記載のケーブル支持装置。
【請求項５】
前記雄ねじ部の谷の径は、前記コイルばねの内径より前記雄ねじ部の加工公差だけ大きい、請求項４に記載のケーブル支持装置。
【請求項６】
前記弾性連結部材は中空チューブである、請求項１に記載のケーブル支持装置。
【請求項７】
前記第一及び第二のアームの少なくとも一方のアームの前記第一の端部とは反対側の第二の端部は雌ねじ部を有し、
前記雌ねじ部は、当該一方のアームの直径よりも大きな径の頭部を有する雄ねじと、当該第二の端部が前記引き出し部と前記収納部のうち少なくとも一方に取り付けられた軸受けに収納された状態で螺合される、請求項１から６のいずれか１項に記載のケーブル支持装置。
【請求項８】
前記軸受けに収納される第二端部には溝が形成され、第二の端部が前記軸受けに収納された状態で当該溝にＥリングが挿入され、前記第一及び第二のアームの少なくとも一方のアームが、前記軸受けに対し位置決めされる、請求項７に記載のケーブル支持装置。
【請求項９】
前記引き出し部と、前記収納部と、請求項１から８のいずれか１項に記載のケーブル支持装置とを有するスライドユニット。
【請求項１０】
前記引き出し部内に電子機器が配置された、請求項９に記載のスライドユニットを有する電子機器装置。
【請求項１１】
前記引き出し部が電子機器である、請求項９に記載のスライドユニットを有する電子機器装置。
【請求項１２】
請求項９に記載のスライドユニットを有する収納ラック。
【発明の詳細な説明】
【技術分野】
【０００１】
本発明は、電子機器等を収納するのに用いられる引き出し部と収納部の間に延設されたケーブルの支持装置に関する。
【背景技術】
【０００２】
電子機器等を収納するためのラック、スライドユニット等として、図９から図１１に示されているような構造が用いられている。
【０００３】
図９、１０において、スライドユニット１１０は、引き出し部（引き出し可動部）１０１及び収納部（引き出し非可動部）１０２を有する。引き出し部１０１には電子機器１０５が配置され、引き出し部１０１を収納部１０２に対し相対的にスライドさせることにより、電子機器１０５を引き出すことが可能である。
【０００４】
電子機器１０５のケーブル１０８を収納部１０２の背面から外側に導出するためには、ケーブル１０８が収納部１０２内を通過する必要がある。しかしながら、ケーブル１０８が単独で収納部１０２内に配置された場合、引き出し部１０１と収納部１０２の間にケーブル１０８が挟まれ、破損、断線するおそれがある。そのため、通常ケーブル１０８は、ケーブル支持具としてのケーブル余長処理装置１１１によって支持されている。
【０００５】
ケーブル余長処理装置１１１は、金属板１０４、１０４とピン１０６を有する。二枚の金属板１０４、１０４はピン１０６を介して互いに軸着されている。そして、各金属板１０４、１０４は、引き出し部１０１と収納部１０２各々に設けられた軸受け１０３、１０３に回動可能に取り付けられている。
【０００６】
引き出し部１０１が収納部１０２内へスライドしていくにつれ、ケーブル余長処理装置１１１は、二つの軸受け１０３、１０３とピン１０６に対応する合計三箇所において回動し、折り畳まれる。ケーブル余長処理装置１１１の変形に追随してケーブル１０８も曲げられ、ケーブル１０８の引き出し部１０１と収納部１０２の間における挟み込み等の事故が防止される。
【０００７】
図１１は、ケーブル余長処理装置１１１の他の例を示す。図９、図１０におけるピン１０６の代わりに蝶番１０７が使用されている。ケーブル余長処理装置１１１の動作は図９、１０のものと同様である。
【０００８】
【特許文献１】特開平１０−０９３２５６号公報
【特許文献２】特開２０００−０６８６６４号公報
【特許文献３】特開２００３−２６３２４２号公報
【発明の開示】
【発明が解決しようとする課題】
【０００９】
図９から図１１に示された構造においては、ケーブル１０８の湾曲部に余長Ｌを予め設けるのが通常である。この余長Ｌは、ピン１０６または蝶番１０７に対応したケーブルの部分に設けられる。もし余長がなければ、引き出し部１０１の引き出し時または収納時にピン１０６または蝶番１０７にケーブルが挟み込まれ、破損、断線するおそれがある。また、ケーブル余長処理装置１１１は、ピン１０６または蝶番１０７に対応した特定箇所で屈曲させられるため、もし余長がなければ、引き出し部１０１の収納部１０２への収納時、ケーブル１０８がほぼ一点において折り曲げられて応力が集中し、ケーブルの破損、断線につながるおそれがあるからである。
【００１０】
しかしながら、ケーブルに予め余長を設けた状態で、スライドユニットを組み立てる作業は煩雑である。また、余長を設けることにより余長と他の部材との干渉も新たに考慮しなくてはならない。
【００１１】
さらに、図９から図１１に示された構造においては板１０４、１０４の連結構造が複雑となり、部品点数も増加し、製作コストの上昇につながるおそれがある。
【００１２】
本発明は、スライドユニット等におけるケーブルの処理を容易にするケーブル支持装置を提供することを目的とする。
【課題を解決するための手段】
【００１３】
本発明のケーブル支持装置は、引き出し部とこの引き出し部を収納する収納部の間に配置され、引き出し部及び収納部間に延設されたケーブルを支持する。ケーブル支持装置は、ケーブルを支持する第一及び第二のアームと、第一及び第二のアームを連結する弾性連結部材とを有する。
【００１４】
弾性連結部材は、好ましくは湾曲可能な部材、特に好ましくはコイルばねにより構成される。このコイルばねは、第一及び第二のアーム各々の第一の端部を連結するが、さらに好ましくは第一及び第二のアームの少なくとも一方のアームの第一の端部が、コイルばねのピッチと実質的に一致するピッチの雄ねじ部を有する。雄ねじ部の谷の径が、コイルばねの内径より雄ねじ部の加工公差だけ大きいことが、さらに好ましい。
【００１５】
弾性連結部材は中空チューブにより構成してもよい。
【００１６】
第一及び第二のアームの少なくとも一方のアームの第一の端部とは反対側の第二の端部に雌ねじ部を設けることができる。そして、当該雌ねじ部は、当該第二の端部が前記引き出し部と前記収納部のうち少なくとも一方に取り付けられた軸受けに収納された状態で、当該一方のアームの直径よりも大きな径の頭部を有する雄ねじと螺合されてもよい。
【００１７】
また、軸受けに収納される第二端部には溝が形成され、第二の端部が軸受けに収納された状態で溝にＥリングが挿入され、第一及び第二のアームの少なくとも一方のアームが、軸受けに対し位置決めされるよう使用されることが好ましい。
【００１８】
前述の引き出し部と、収納部と、ケーブル支持装置とから、スライドユニットが構成され得る。引き出し部内に電子機器が配置され得る。また、引き出し部そのものが電子機器であってもよい。このスライドユニットは、一般の収納ラック等にも適用可能である。
【発明の効果】
【００１９】
本発明のケーブル支持装置により、スライドユニット等におけるケーブルの処理を容易にすることが可能である。
【発明を実施するための最良の形態】
【００２０】
以下、本発明に係る実施の形態について、添付図面を参照しながら詳細に説明する。
【００２１】
図１、２は、本発明のケーブル支持装置１１が使用されたスライドユニット１０を示す。スライドユニット１０は、引き出し部（引き出し可動部）１及び収納部（引き出し非可動部）２、ケーブル支持装置１１を有する。引き出し部１には電子機器１２が配置され、引き出し部１を収納部２に対し相対的にスライドさせることにより、電子機器１２を収納部２から引き出す、または収納部２に収納することが可能である。
【００２２】
電子機器１２のケーブル８を収納部２の背面から外側に導出するためには、ケーブル８が収納部２内を通過する必要がある。しかしながら、ケーブル８が単独で収納部１０２内に配置された場合、引き出し部１と収納部２の間にケーブル８が挟まれ、破損、断線するおそれがある。そのため、通常、ケーブル８はケーブル支持装置１１によって支持されている。
【００２３】
ケーブル８は、引き出し部１に設けられた通孔１３を通過した後、収納部２内を通過し、収納部２に設けられた通孔１４から外部に導出される。収納部２内において、ケーブル８は実質的にその全長にわたって、ケーブル支持装置１１によって支持されている。すなわち、ケーブル８は、ケーブル支持装置１１にほぼ沿って配置されている。また、ケーブル８はビニールテープなどのケーブルクランプ材９によってケーブル支持装置１１に対し固定されている。二本のアーム４、４が、ケーブル８を支持する役割を果たす。
【００２４】
ケーブル支持装置１１は、二本のアーム４、４（第一及び第二のアーム）及び当該二本のアームを連結する、湾曲可能な弾性連結部材としてのコイルばね５より構成される。コイルばね５は、アーム４の雄ねじ部が施された第一の端部４ａに取り付けられる（図４（ａ））。図５に示すように、雄ねじ部のピッチＰ１は、コイルばね５のピッチＰ２と実質的に一致しており、雄ねじ部のねじ谷の径Ｄ１はコイルばね５の内径Ｄ２よりも若干大きい。例えば、雄ねじ部の加工公差の分だけＤ１をＤ２より大きくすることが好ましい（Ｄ１−Ｄ２＝加工公差）。このような構成を採用することにより、コイルばね５を工具なしでねじ込みのみでアーム４に取り付けることが可能となり、組立作業の簡易化を図ることができる。また、ねじ込み後にコイルばね５のアーム４に対する締め付け力が発生し、コイルばねがアームから抜けるのを防止することが可能となる。
【００２５】
図２に示すように、収納部２に対して引き出し部１が最大限に引き出された状態で、二本のアーム４、４が一直線に配置されないよう、ケーブル支持装置１１は引き出し部１と収納部２の間に配置される。
【００２６】
さらにアーム４は屈曲部４ｃにおいて実質的に直角に屈曲加工されている。また、第一の端部４ａと反対側の第二の端部４ｂには雌ねじ部が施されている（図４（ｂ））。更に、第二の端部４ｂには周方向に溝４ｄが形成されている。
【００２７】
一方、引き出し部１と収納部２各々には軸受け３が取り付けられている。図８に示すように、アーム４の第二の端部４ｂが軸受け３に収納された後、ねじ６が第二の端部４ｂの雌ねじ部に螺着される。また、第二の端部４ｂの軸受け３への収納された後、Ｅリング７が溝４ｄに差し込まれ装着される。Ｅリング７は図７に示すような平面形状を有するため、溝４ｄへの差し込みは容易であり、かつ差し込み後、溝４ｄに安定した状態で固定される。従って、アーム４が軸受けから外れるのを防止しつつ、軸受け３を回動中心として、アーム４が引き出し部１または収納部２に対し回動する。
【００２８】
上記構成において、ねじ６のヘッド６ａの径はアーム４の径より大きいため、アーム４の軸受け３からの抜けが防止できる。また、Ｅリング７が溝４ｄに差し込まれ装着されることにより、アーム４の軸受け３に対する相対的な位置決めがなされる。Ｅリング一枚のみで位置決めを可能とするため、構造、組み立ての簡略化を達成することができる。
【００２９】
上述した構成において、引き出し部１が収納部２から引き出された状態から（図２）、引き出し部１が収納部内２に収納されると、図１に示すように、二つのアーム４、４が二つの軸受け３、３を中心として回動するとともに、コイルばね５が湾曲変形し、ケーブル支持装置１１が折り畳まれる。連結部材はコイルばねのため、一ないしそれ以上の特定箇所での極端な屈曲変形は起こらず、緩やかな円弧を有する湾曲形状へと変形する（アーチ状）。本実施例ではコイルばね５は、その実質的に長手方向全体にわたって連続して湾曲可能である。言い換えると、特定のポイントで屈曲するのではなく、長手方向全体にて湾曲可能である。屈曲点が長手方向に無限にあると考えてもよい。コイルばね５の変形に追随してケーブル８も緩やかな円弧を有する湾曲形状へと変形するため、ケーブル８の特定箇所にストレスがかかり、破損、断線が生ずることを防止することができる。
【００３０】
本実施例においては、ケーブル８は緩やかな円弧を有する湾曲形状へと変形するため、図９に示したような余長Ｌを予め設けておく必要はない。従ってスライドユニットを組み立てる作業が容易になる。また、余長と他の部材との干渉を考慮する必要もなくなる。さらに部品点数を削減し、製作コストを抑えることも可能となる。
【００３１】
また、上記実施例では第一及び第二のアーム連結部材として、コイルばね５を用いた。しかしながら、コイルばね５の代わりに、図６に示すような、ゴム、プラスチック等の弾性材料により形成された中空チューブ１５を用いることもできる。すなわち、連結部材は第一及び第二のアームを連結することが可能であって、弾性体であればよく、特定の部品に限定されるものではない。
【００３２】
図６の中空チューブ１５は、コイルばね５と同様、湾曲可能であるため、引き出し部１の収納部２への収納時におけるケーブル８の特定箇所へのストレス発生を防止することが可能である。
【００３３】
また、中空チューブ１５の如き弾性体を用いた場合、ケーブル支持装置１１の折りたたみ時に、連結部材が湾曲されることは必須ではない。すなわち、中空チューブ１５の剛性が低い場合、引き出し部１の収納部２への収納時に中空チューブ１５が特定箇所で屈曲させられることは想定され得るが、ケーブル８が中空チューブ１５とは独立に湾曲可能であれば、ケーブルが破損、断線するのを防止することは可能だからである。また、中空チューブ１５の屈曲箇所に、ケーブルが巻き込まれることも想定し得るが、ピンや蝶番などの場合と異なり、ケーブルの破損、断線などは生じず、引き出し部１が収納部２から引き出された際、ケーブルが元の形状に回復すると考えられるからである。すなわち、アームの連結部材として、たとえアーチ状に湾曲せず、特定箇所で屈曲するものであっても、ケーブルを破損、断線しない弾性体であれば、本発明に含まれる。
【００３４】
引き出し部１と、収納部２と、ケーブル支持装置１１とから、スライドユニット１０が構成される。上記実施例では、引き出し部１内に電子機器１２が配置され、スライドユニットが電子機器装置となる構成を採用した。しかしながら、引き出し部１そのものが電子機器である構成としてもよい。さらにスライドユニットは、一般の収納ラック等にも適用可能である。例えば、引き出し部１の部分にキーボードが配置され、キーボードのケーブルに本発明のケーブル支持装置が適用されてもよい。引き出し部と収納部の間にケーブルを延設する必要がある総ての場合に、本発明のケーブル支持装置は応用可能である。
【００３５】
アームは、本実施例のものには限られない。実施例のアーム４は断面が円形状で屈曲部をもつ棒状部材であるが、アームの断面は四角形など種々の多角形形状に変形することが可能であるし、多角形に限られずその他任意の形状にすることもできる。屈曲部４ｃも必須要件ではない。また、実施例では二つのアーム４、４は同じものを用いたが異なる二つのアームを用いてもよい。中空のアームを用いてもよい。材料も金属以外の種々のものを用いることができる。また、雄ねじ部、雌ねじ部の採用も必須ではない。
【００３６】
弾性連結部材も、本実施例のものには限られない。実施例ではコイルばね５、中空チューブ１５を用いたが、任意のものを採用することができる。例えばアームが中空の場合、中実の弾性体チューブをアームに差し込む構成としてもよい。材料も金属、ゴム、プラスチック以外の種々のものを用いることができる。
【００３７】
軸受けの構成も本実施例のものに限られない。アームの第二端部の形状に合わせて種々のものを採用することができる。また、ねじ６、Ｅリング７の採用も必須ではない。
【００３８】
本発明のケーブル支持装置により、スライドユニット等におけるケーブルの破損、断線を防止するとともに、ケーブルの処理を容易にすることが可能である。特に本発明は、光学ケーブルなど曲げに弱いケーブルに対しその効果を発揮する。また、部品点数の削減も可能となる。
【００３９】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００４０】
本発明のケーブル支持装置は、引き出しと収納部からなる構成を有するスライドユニットの組み立てにおいて、引き出しと収納部間に延設されたケーブルの処理を容易にする。
【図面の簡単な説明】
【００４１】
【図１】本発明のケーブル支持装置を用いたスライドユニットの斜視図であり、特に引き出し部が収納部内に収納された状態を示す。
【図２】本発明のケーブル支持装置を用いたスライドユニットの斜視図であり、特に引き出し部が収納部から引き出された状態を示す。
【図３】本発明のケーブル支持装置を用いたスライドユニットの分解図である。
【図４】図４（ａ）はアームの側面図であり、図４（ｂ）は、図４（ａ）中のＡ部分の拡大図である。
【図５】雄ねじ部及びコイルばねの拡大図である。
【図６】連結部材として中空チューブがアームに接続された状態の側面図である。
【図７】Ｅリングの平面図である。
【図８】アームを軸受けに収納する手順を示した説明図である。
【図９】ケーブル余長処理装置を用いたスライドユニットの斜視図である。
【図１０】ケーブル余長処理装置を用いたスライドユニットの分解図である。
【図１１】ケーブル余長処理装置を用いたスライドユニットの分解図である。
【符号の説明】
【００４２】
１    引き出し部
２    収納部
３    軸受け
４    アーム
５    コイルばね
６    ねじ
７    Ｅリング
８    ケーブル
９    ケーブルクランプ材
１０  スライドユニット
１１  ケーブル支持装置
１５  中空チューブ
Ｌ    余長
【図１】
2005354772.tif 000003
【図２】
2005354772.tif 000004
【図３】
2005354772.tif 000005
【図４】
2005354772.tif 000006
【図５】
2005354772.tif 000007
【図６】
2005354772.tif 000008
【図７】
2005354772.tif 000009
【図８】
2005354772.tif 000010
【図９】
2005354772.tif 000011
【図１０】
2005354772.tif 000012
【図１１】
2005354772.tif 000013